【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
コンピュータ実装方法であって、
端末デバイスによって、サービス処理リクエストに関連付けられた検証対象であるユーザのバイオメトリック特徴情報を受信するステップと、
前記端末デバイスによって、前記検証対象である受信されたバイオメトリック特徴情報を前記ユーザの特定の事前に格納されたバイオメトリック特徴とマッチングするステップであって、前記ユーザの前記特定の事前に格納されたバイオメトリック特徴が前記端末デバイスにおいて記憶され、前記ユーザの前記特定の事前に格納されたバイオメトリック特徴が対応する識別子に関連付けられる、ステップと、
前記検証対象である受信されたバイオメトリック特徴情報が前記ユーザの特定の事前に格納されたバイオメトリック特徴とマッチしたことに応答して、前記ユーザの前記特定の事前に格納されたバイオメトリック特徴の前記識別子に関連付けられた記憶された秘密鍵を検索するステップと、
前記記憶された秘密鍵の中に前記ユーザの前記特定の事前に格納されたバイオメトリック特徴の前記識別子に関連付けられた秘密鍵がないと判定したことに応答して、前記サービス処理リクエストが送信されるサーバに前記ユーザの身元を登録するステップであって、
前記ユーザの前記特定の事前に格納されたバイオメトリック特徴の前記識別子に対応する秘密鍵と公開鍵とを生成するステップと、
前記端末デバイスに前記識別子と前記生成された秘密鍵との間のマッピング関係を格納するステップと、
前記識別子と前記生成された公開鍵との間のマッピング関係を格納のために前記サーバへ送信するステップと
を備える、ステップと、
前記登録するステップの後に、前記サーバに前記サービス処理リクエストと前記ユーザの前記特定の事前に格納されたバイオメトリック特徴の前記識別子とを送信するステップであって、前記端末デバイスが、前記ユーザの前記特定の事前に格納されたバイオメトリック特徴の前記識別子に関連付けられた前記生成された秘密鍵を使用してデジタル署名で前記サービス処理リクエストに署名し、前記サーバが、前記ユーザの前記特定の事前に格納されたバイオメトリック特徴の前記識別子に対応する前記生成された公開鍵を使用して前記端末デバイスの前記デジタル署名を検証した後に、前記サービス処理リクエストに関連付けられたサービス処理を実行する、ステップと
を備える、コンピュータ実装方法。
【請求項２】
前記サービス処理リクエストが送信される前記サーバに前記ユーザの身元を登録するステップの前に、
前記端末デバイスにおいて、前記ユーザによって入力されるパスワードを促すステップであって、前記パスワードが前記サービス処理リクエストに関連付けられる、ステップと、
前記パスワードを受信したことに応答して、前記パスワードが正しいことを検証するステップと、
前記サービス処理リクエストが送信される前記サーバで前記ユーザの身元の登録を許可するステップと
をさらに備える、請求項１に記載のコンピュータ実装方法。
【請求項３】
前記記憶された秘密鍵の中の秘密鍵が前記ユーザの前記特定の事前に格納されたバイオメトリック特徴の前記識別子に関連付けられると判定したことに応答して、前記ユーザの身元が前記サーバにおいて既に格納されたと判定するステップであって、前記判定された秘密鍵が、前記サーバに記憶され、かつ前記ユーザの前記特定の事前に格納されたバイオメトリック特徴の前記識別子に関連付けられた公開鍵に対応する、ステップをさらに備える、請求項１に記載のコンピュータ実装方法。
【請求項４】
前記サーバに前記サービス処理リクエストと前記ユーザの前記特定の事前に格納されたバイオメトリック特徴の前記識別子とを送信するステップであって、前記端末デバイスが、前記ユーザの前記特定の事前に格納されたバイオメトリック特徴の前記識別子に関連付けられた前記判定された秘密鍵を使用してデジタル署名で前記サービス処理リクエストに署名し、前記サーバが、前記ユーザの前記特定の事前に格納されたバイオメトリック特徴の前記識別子に対応する前記公開鍵を使用して前記端末デバイスの前記デジタル署名を検証した後に、前記サービス処理リクエストに関連付けられた前記サービス処理を実行する、請求項３に記載のコンピュータ実装方法。
【請求項５】
前記サービス処理リクエストが支払いリクエストを含む、請求項１に記載のコンピュータ実装方法。
【請求項６】
前記検証対象であるユーザの前記受信したバイオメトリック特徴情報が指紋である、請求項１に記載のコンピュータ実装方法。
【請求項７】
前記ユーザの前記事前に格納されたバイオメトリック特徴が、前記端末デバイスにおいて記憶された前記ユーザの複数の事前に格納されたバイオメトリック特徴のうちの１つであり、前記複数の事前に格納されたバイオメトリック特徴が、記憶された指紋、虹彩パターンもしくは視覚化、手のジオメトリ、網膜スキャン、または音声パターンのうちの少なくとも１つを含む、異なるイオメトリック特徴情報である、請求項１に記載のコンピュータ実装方法。
【請求項８】
コンピュータ可読記憶媒体であって、
端末デバイスによって、サービス処理リクエストに関連付けられた検証対象であるユーザのバイオメトリック特徴情報を受信することと、
前記端末デバイスによって、前記検証対象であるバイオメトリック特徴情報を前記ユーザの特定の事前に格納されたバイオメトリック特徴とマッチングすることであって、前記ユーザの前記特定の事前に格納されたバイオメトリック特徴が前記端末デバイスにおいて記憶され、前記ユーザの前記特定の事前に格納されたバイオメトリック特徴が対応する識別子に関連付けられる、マッチングすることと、
前記検証対象である受信されたバイオメトリック特徴情報が前記ユーザの特定の事前に格納されたバイオメトリック特徴とマッチしたことに応答して、前記ユーザの前記特定の事前に格納されたバイオメトリック特徴の前記識別子に関連付けられた記憶された秘密鍵を検索することと、
前記記憶された秘密鍵の中に前記ユーザの前記特定の事前に格納されたバイオメトリック特徴の前記識別子に関連付けられた秘密鍵がないと判定したことに応答して、前記サービス処理リクエストが送信されるサーバに前記ユーザの身元を登録することであって、
前記ユーザの前記特定の事前に格納されたバイオメトリック特徴の前記識別子に対応する秘密鍵と公開鍵とを生成することと、
前記端末デバイスに前記識別子と前記生成された秘密鍵との間のマッピング関係を格納することと、
前記識別子と前記生成された公開鍵との間のマッピング関係を格納のために前記サーバへ送信することと
を備える、登録することと、
前記登録することの後に、前記サーバに前記サービス処理リクエストと前記ユーザの前記特定の事前に格納されたバイオメトリック特徴の前記識別子とを送信することであって、前記端末デバイスが、前記ユーザの前記特定の事前に格納されたバイオメトリック特徴の前記識別子に関連付けられた前記生成された秘密鍵を使用してデジタル署名で前記サービス処理リクエストに署名し、前記サーバが、前記ユーザの前記特定の事前に格納されたバイオメトリック特徴の前記識別子に対応する前記生成された公開鍵を使用して前記端末デバイスの前記デジタル署名を検証した後に、前記サービス処理リクエストに関連付けられたサービス処理を実行する、送信することと
を備える動作を実行するためにコンピュータシステムによって実行可能な１つまたは複数の命令を記憶する、コンピュータ可読記憶媒体。
【請求項９】
前記サービス処理リクエストが送信される前記サーバに前記ユーザの身元を登録することの前に、
前記端末デバイスにおいて、前記ユーザによって入力されるパスワードを促すことであって、前記パスワードが前記サービス処理リクエストに関連付けられる、促すことと、
前記パスワードを受信したことに応答して、前記パスワードが正しいことを検証することと、
前記サービス処理リクエストが送信される前記サーバで前記ユーザの身元の登録を許可することと
をさらに備える、請求項８に記載のコンピュータ可読記憶媒体。
【請求項１０】
前記動作が、前記記憶された秘密鍵の中の秘密鍵が前記ユーザの前記特定の事前に格納されたバイオメトリック特徴の前記識別子に関連付けられると判定したことに応答して、前記ユーザの身元が前記サーバにおいて既に格納されたと判定することであって、前記判定された秘密鍵が、前記サーバに記憶され、かつ前記ユーザの前記特定の事前に格納されたバイオメトリック特徴の前記識別子に関連付けられた公開鍵に対応する、判定することをさらに備える、請求項８に記載のコンピュータ可読記憶媒体。
【請求項１１】
前記動作が、前記サーバに前記サービス処理リクエストと前記ユーザの前記特定の事前に格納されたバイオメトリック特徴の前記識別子とを送信することであって、前記端末デバイスが、前記ユーザの前記特定の事前に格納されたバイオメトリック特徴の前記識別子に関連付けられた前記判定された秘密鍵を使用してデジタル署名で前記サービス処理リクエストに署名し、前記サーバが、前記ユーザの前記特定の事前に格納されたバイオメトリック特徴の前記識別子に対応する前記公開鍵を使用して前記端末デバイスの前記デジタル署名を検証した後に、前記サービス処理リクエストに関連付けられた前記サービス処理を実行する、請求項１０に記載のコンピュータ可読記憶媒体。
【請求項１２】
前記サービス処理リクエストが支払いリクエストを含む、請求項８に記載のコンピュータ可読記憶媒体。
【請求項１３】
前記検証対象であるユーザの前記受信したバイオメトリック特徴情報が指紋である、請求項８に記載のコンピュータ可読記憶媒体。
【請求項１４】
前記ユーザの前記事前に格納されたバイオメトリック特徴が、前記端末デバイスにおいて記憶された前記ユーザの複数の事前に格納されたバイオメトリック特徴のうちの１つであり、前記複数の事前に格納されたバイオメトリック特徴が、記憶された指紋、虹彩パターンもしくは視覚化、手のジオメトリ、網膜スキャン、または音声パターンのうちの少なくとも１つを含む、異なるイオメトリック特徴情報である、請求項８に記載のコンピュータ可読記憶媒体。
【請求項１５】
コンピュータ実装システムであって、
１つまたは複数のコンピュータと、
前記１つまたは複数のコンピュータに相互動作可能に結合される１つまたは複数のコンピュータメモリデバイスであって、１つまたは複数の命令を記憶する有形の機械可読記憶媒体を有し、前記１つまたは複数のコンピュータによって実施されたとき、
端末デバイスによって、サービス処理リクエストに関連付けられた検証対象であるユーザのバイオメトリック特徴情報を受信することと、
前記端末デバイスによって、前記検証対象であるバイオメトリック特徴情報を前記ユーザの特定の事前に格納されたバイオメトリック特徴とマッチングすることであって、前記ユーザの前記特定の事前に格納されたバイオメトリック特徴が前記端末デバイスにおいて記憶され、前記ユーザの前記特定の事前に格納されたバイオメトリック特徴が対応する識別子に関連付けられる、マッチングすることと、
前記検証対象である受信されたバイオメトリック特徴情報が前記ユーザの特定の事前に格納されたバイオメトリック特徴とマッチしたことに応答して、前記ユーザの前記特定の事前に格納されたバイオメトリック特徴の前記識別子に関連付けられた記憶された秘密鍵を検索することと、
前記記憶された秘密鍵の中に前記ユーザの前記特定の事前に格納されたバイオメトリック特徴の前記識別子に関連付けられた秘密鍵がないと判定したことに応答して、前記サービス処理リクエストが送信されるサーバに前記ユーザの身元を登録することであって、
前記ユーザの前記特定の事前に格納されたバイオメトリック特徴の前記識別子に対応する秘密鍵と公開鍵とを生成することと、
前記端末デバイスに前記識別子と前記生成された秘密鍵との間のマッピング関係を格納することと、
前記識別子と前記生成された公開鍵との間のマッピング関係を格納のために前記サーバへ送信することと
を備える、登録することと、
前記登録することの後に、前記サーバに前記サービス処理リクエストと前記ユーザの前記特定の事前に格納されたバイオメトリック特徴の前記識別子とを送信することであって、前記端末デバイスが、前記ユーザの前記特定の事前に格納されたバイオメトリック特徴の前記識別子に関連付けられた前記生成された秘密鍵を使用してデジタル署名で前記サービス処理リクエストに署名し、前記サーバが、前記ユーザの前記特定の事前に格納されたバイオメトリック特徴の前記識別子に対応する前記生成された公開鍵を使用して前記端末デバイスの前記デジタル署名を検証した後に、前記サービス処理リクエストに関連付けられたサービス処理を実行する、送信することと
を備える１つまたは複数の動作を実行する、コンピュータ実装システム。